(57)【要約】【課題】特に空気動工具の切換ボタンを保持固定することにより安全性を向上させた空気動工具の安全切換ボタンを提供する。【解決手段】本発明に係る空気動工具の安全切換ボタンは、位置決め部材と、回動部材と、ピン、とを有し、該位置決め部材は、中心の取付穴の両側に、互いに平行し、且つ該取付穴と連通する１対の位置決め溝が凹設され、該回動部材は、取付穴に回転可能に取り付けられ、その外周面に２対の切換平面が交互に配列するように形成され、該２対の切換平面のうちの１対が位置決め部材の１対の位置決め溝と平行するように対応し、該ピンは、Ｕ字形を呈する弾性部材であり、その両端部が該１対の位置決め溝に挿し込まれて対応する１対の切換平面に当接されることにより、回動部材を確実に挟持して安定的に位置決めるので、空気動工具が稼動中に突然に逆回転することを防止すると共に、部材の使用寿命を延ばすことができる。【選択図】図１
2019084639.tif 000002
【特許請求の範囲】
【請求項１】
一側面に位置決め部が凸設され、該位置決め部の中心に取付穴が凹設され、該位置決め部における取付穴の両側に、互いに平行し、且つ該取付穴と連通する１対の位置決め溝が凹設される、位置決め部材と、
前記位置決め部材の取付穴に回転可能に取り付けられ、当接部と、軸部と、回し部を備え、該当接部は、位置決め部に当接するように取り付けられ、該軸部は、当接部の内面中心に延設されると共に、位置決め部材の取付穴に挿設され、該軸部の外周面における当接部の近傍に、２対の切換平面が交互に配列するように形成され、該各対の切換平面は、互いに平行するように軸部の外周面の相対する両側に形成され、該軸部の２対の切換平面のうちの１対が位置決め部材の１対の位置決め溝と平行するように対応し、該回し部が当接部の外側面に凸設される、回動部材と、
Ｕ字形を呈する弾性部材であり、その両端部が位置決め部材の１対の位置決め溝に挿し込まれると共に、軸部における該１対の位置決め溝に対応する１対の切換平面に当接される、ピン、とを有することを特徴とする空気動工具の安全切換ボタン。
【請求項２】
前記ピンの両端部の外径はそれぞれ、対応する位置決め溝の幅よりも小さいことを特徴とする請求項１に記載の空気動工具の安全切換ボタン。
【請求項３】
前記位置決め部材における位置決め部に制限穴が形成され、
前記回動部材の当接部における、制限穴と対応する箇所に制限凹部が形成され、
前記制限凹部及び制限穴に制限ロッドが挿設されることを特徴とする請求項１に記載の空気動工具の安全切換ボタン。
【請求項４】
前記１対の位置決め溝の端部が互いに連通してＵ字形を呈することを特徴とする請求項１に記載の空気動工具の安全切換ボタン。
【請求項５】
前記回し部が一字形を呈することを特徴とする請求項１に記載の空気動工具の安全切換ボタン。
【請求項６】
前記位置決め部材の他側に工具部が設置されることを特徴とする請求項１に記載の空気動工具の安全切換ボタン。
【請求項７】
前記位置決め部材の一側面に枢設穴が形成されると共に、外周面に取付穴及び枢設穴と連通する半円形の収容穴が軸方向に沿って形成され、
前記回動部材の軸部の外周面に径方向の挿設凹部が形成され、該挿設凹部は収容穴に対応するように形成され、
さらに、揺動ユニットと、枢設ロッドと、切換ユニットを有し、該揺動ユニットは、空気動工具の回転方向を切り替えるものであり、揺動可能に位置決め部材の収容穴に取り付けられ、該揺動ユニットの中央に軸穴が形成され、該揺動ユニットの底面に、２つの切換凹部が間隔を隔て隣り合うように形成され、該枢設ロッドは、位置決め部材の枢設穴及び揺動ユニットの軸穴に貫設され、該切換ユニットは、位置決め部材の収容穴に取り付けられ、その一端が回動部材の軸部の挿設凹部に挿設されると共に、他端が揺動ユニットの２つの切換凹部のうちの１つに当接されることを特徴とする請求項１乃至６の何れか1項に記載の空気動工具の安全切換ボタン。
【請求項８】
前記回動部材の当接部における、枢設穴に対応する箇所に通過凹部が形成され、
前記枢設ロッドは、回動部材の通過凹部を通って位置決め部材の枢設穴及び揺動ユニットの軸穴に貫設されることを特徴とする請求項７に記載の空気動工具の安全切換ボタン。
【発明の詳細な説明】
【技術分野】
【０００１】
本発明は、特に空気動工具の切換ボタンを保持固定する構造に関するものである。
【背景技術】
【０００２】
空気動工具は、エアコンプレッサーからの圧縮空気を用いてモータなどの機構を駆動させて、空気動工具に取り付けた様々な工具ヘッドにより作業を行うものであり、例えば、穴開け工具や、打撃工具、ソケットレンチ、ラチェットレンチなどがある。そのうち、図７及び図８に示したようなエアラチェットレンチ９０を使用する時は、使用者が実際の需要に応じて切換ボタンを切替えることにより、空気動工具の正逆回転を選択して使用する。
【０００３】
図７及び図８に示すように、既存の空気動工具の切換ボタンにおける切換部材９２は、回転軸９１に径方向に貫設され、該切換部材９２の一端にボール９３が取り付けられ、該ボール９３は、揺動ユニット９４の底面に並列に凹設された２つの切換凹部９５の１つに当接され、操作する時、切換ボタンを一方へ倒すと、該切換部材９２がボール９３を介して揺動ユニット９４の一方の切換凹部９５に当接されることにより、空気動工具を一方向に回転させ、一方、切換ボタンを他方へ倒すと、該切換部材９２がボール９３を介して揺動ユニット９４の他方の切換凹部９５に当接されることにより、空気動工具を逆方向に回転させる。
【先行技術文献】
【特許文献】
【０００４】
【特許文献１】台湾実用新案第Ｍ５１４９０３号
【特許文献２】台湾実用新案第Ｍ５１７０６６号
【発明の概要】
【発明が解決しようとする課題】
【０００５】
既存の空気動工具の切換ボタンは、切換部材の端部にあるボールが揺動ユニットの１つの切換凹部に当接されることにより、空気動工具の回転方向が決まるが、大きいな振動を受けたり、打撃工具として打撃したりする場合、切換部材のボールが振動のため跳ね上がって一方の切換凹部から他方の切換凹部に移ってしまうことがあり、作業中突然に空気動工具が反対方向に回転してしまうと、非常に危険であると共に、その内部の部材も壊れやすくなるので、改良する必要があった。
【課題を解決するための手段】
【０００６】
本発明に係る空気動工具の安全切換ボタンは、
一側面に位置決め部が凸設され、該位置決め部の中心に取付穴が凹設され、該位置決め部における取付穴の両側に、互いに平行し、且つ該取付穴と連通する１対の位置決め溝が凹設される、位置決め部材と、
前記位置決め部材の取付穴に回転可能に取り付けられ、当接部と、軸部と、回し部を備え、該当接部は、位置決め部に当接するように取り付けられ、該軸部は、当接部の内面中心に延設されると共に、位置決め部材の取付穴に挿設され、該軸部の外周面における当接部の近傍に、２対の切換平面が交互に配列するように形成され、該各対の切換平面は、互いに平行するように軸部の外周面の相対する両側に形成され、該軸部の２対の切換平面のうちの１対が位置決め部材の１対の位置決め溝と平行するように対応し、該回し部が当接部の外側面に凸設される、回動部材と、
Ｕ字形を呈する弾性部材であり、その両端部が位置決め部材の１対の位置決め溝に挿し込まれると共に、軸部における該１対の位置決め溝に対応する１対の切換平面に当接される、ピン、とを有するものである。
【０００７】
かかる空気動工具の安全切換ボタンにおいて、前記ピンの両端部の外径はそれぞれ、対応する位置決め溝の幅よりも小さいことが好ましい。
【０００８】
かかる空気動工具の安全切換ボタンにおいて、
前記位置決め部材における位置決め部に制限穴が形成され、
前記回動部材の当接部における、制限穴と対応する箇所に制限凹部が形成され、
前記制限凹部及び制限穴に制限ロッドが挿設されることが好ましい。
【０００９】
かかる空気動工具の安全切換ボタンにおいて、前記１対の位置決め溝の端部が互いに連通してＵ字形を呈することが好ましい。
【００１０】
かかる空気動工具の安全切換ボタンにおいて、前記回し部が一字形を呈することが好ましい。
【００１１】
かかる空気動工具の安全切換ボタンにおいて、前記位置決め部材の他側に工具部が設置されることが好ましい。
【００１２】
かかる空気動工具の安全切換ボタンにおいて、
前記位置決め部材の一側面に枢設穴が形成されると共に、外周面に取付穴及び枢設穴と連通する半円形の収容穴が軸方向に沿って形成され、
前記回動部材の軸部の外周面に径方向の挿設凹部が形成され、該挿設凹部は収容穴に対応するように形成され、
さらに、揺動ユニットと、枢設ロッドと、切換ユニットを有し、該揺動ユニットは、空気動工具の回転方向を切り替えるものであり、揺動可能に位置決め部材の収容穴に取り付けられ、該揺動ユニットの中央に軸穴が形成され、該揺動ユニットの底面に、２つの切換凹部が間隔を隔て隣り合うように形成され、該枢設ロッドは、位置決め部材の枢設穴及び揺動ユニットの軸穴に貫設され、該切換ユニットは、位置決め部材の収容穴に取り付けられ、その一端が回動部材の軸部の挿設凹部に挿設されると共に、他端が揺動ユニットの２つの切換凹部のうちの１つに当接されることが好ましい。
【００１３】
かかる空気動工具の安全切換ボタンにおいて、
前記回動部材の当接部における、枢設穴に対応する箇所に通過凹部が形成され、
前記枢設ロッドは、回動部材の通過凹部を通って位置決め部材の枢設穴及び揺動ユニットの軸穴に貫設されることが好ましい。
【発明の効果】
【００１４】
本発明に係る空気動工具の安全切換ボタンは、弾性を備えるＵ字形のピンが位置決め部材の１対の位置決め溝に挿設されると共に、該ピンの両端部が回動部材の２対の切換平面のうちの１対に挟持固定されることにより、回動部材の両側面を確実に挟持するものであることから、回動部材を安定に位置決めるので、振動などの原因で緩んだり回動したりすることはなく、この構成によれば、切換ボタンを所定の位置に確実に保持固定できることから、空気動工具が稼動中に突然に逆回転することを防ぐことができ、操作上の安全性を向上させ、その内部部材の破損を減らせるので、部材の使用寿命を延ばすことができる。
【図面の簡単な説明】
【００１５】
【図１】本発明の斜視図である。
【図２】本発明の分解斜視図である。
【図３】本発明の空気動工具の安全切換ボタンをエアーラチェットソケットレンチに装着した状態を示す部分分解斜視図である。
【図４】本発明の切換ボタンを回して回動部材を回転させた時の連続動作の第一説明図である。
【図５】本発明の切換ボタンを回して回動部材を回転させた時の動作の第二説明図である。
【図６】本発明の切換ボタンを回して回動部材を回転させた時の連続動作の第三説明図である。
【図７】既存の空気動工具の切換ボタンを回転させて一方向回転に切り替える時の動作説明図である。
【図８】既存の空気動工具の切換ボタンを回転させて逆方向回転に切り替えた時の動作の説明図である。
【発明を実施するための形態】
【００１６】
以下、添付図面を参照して本発明の適切な実施の形態を詳細に説明する。
【００１７】
本発明に係る空気動工具の安全切換ボタンは、図１及び図２に示すように、位置決め部材１０と、回動部材２０と、ピン３０と、揺動ユニット４０と、枢設ロッド５０と、切換ユニット６０と、制限ロッド７０を有し、そのうち、位置決め部材１０は、階段状の円柱体であり、その一側面に位置決め部１１が凸設され、該位置決め部１１の中心に取付穴１２が凹設され、該位置決め部１１における取付穴１２の両側に、互いに平行し且つ該取付穴１２と連通する、１対の位置決め溝１３が凹設される。尚、その１対の位置決め溝１３の端部は、互いに連通してＵ字形を呈することが好ましい。
【００１８】
前記位置決め部材１０における位置決め部１１の周縁近傍の相対する両側に枢設穴１４及び制限穴１５が形成され、該位置決め部材１０における外周面に、取付穴１２及び枢設穴１４と連通する半円形の収容穴１６が軸方向に沿って形成され、該位置決め部材１０における、位置決め部１１と反対する側に工具部１７が凸設され、該工具部１７には様々な工具ヘッドを有する。尚、本実施例における工具部１７は、ソケットを組み合せるためのソケット係合構造である。
【００１９】
前記回動部材２０は、回転可能に位置決め部材１０の取付穴１２に挿設され、当接部２１と、軸部２２と、回し部２３を備え、該当接部２１は、円盤状を呈し、位置決め部１１と当接するように取り付けられ、枢設穴１４に対応する箇所に通過凹部２１０が形成されると共に、制限穴１５と対応する箇所に長弧状の制限凹部２１１が形成され、該軸部２２は、当接部２１の内面中心に延設されると共に、位置決め部材１０の取付穴１２に挿設され、その外周面に径方向の挿設凹部２２０が形成され、該挿設凹部２２０は、収容穴１６に対応するように形成される。
【００２０】
図１、図２、図４乃至図６に示すように、前記軸部２２の外周面における当接部２１の近傍に、２対の切換平面２２１、２２２が交互に形成され、該各対の切換平面２２１、２２２は、互いに平行するように軸部２２の外周面の相対する両側に形成され、その２対の切換平面２２１、２２２により正方形や、菱形などの平行四辺形が構成され、前記回し部２３は、一字形を呈し、当接部２１の外側面に凸設され、使用者が回し部２３を回転させると、切換ボタンを切換えることができる。
【００２１】
前記ピン３０はＵ字形を呈し、円形断面を備える弾性部材であり、該ピン３０の両端部は、位置決め部材１０の該１対の位置決め溝１３に挿し込まれると共に、軸部２２における該１対の位置決め溝１３に対応する該１対の切換平面２２１、２２２に押付けられることから、該ピン３０が回動部材２０を確実に挟持固定するので、振動などの原因で回動部材２０が位置決め部材１０に対して回動することを防止でき、また、前記ピン３０の両端部の外径（円形断面の直径）はそれぞれ、対応する位置決め溝１３の幅よりも小さい設計となっている。
【００２２】
前記揺動ユニット４０は、揺動可能に位置決め部材１０の収容穴１６に取り付けられ、空気動工具の回転方向を自由に切り替えることができ、例えば、揺動ユニット４０を一方に倒せば、空気動工具が正回転し、揺動ユニット４０を他方に倒せば、空気動工具が逆回転する。また、前記揺動ユニット４０の中央に軸穴４１が形成され、該揺動ユニット４０の底面に、２つの間隔を隔て隣り合う切換凹部４２が形成される。
前記枢設ロッド５０は、回動部材２０の通過凹部２１０を通って位置決め部材１０の枢設穴１４及び揺動ユニット４０の軸穴４１に貫設される。
【００２３】
前記切換ユニット６０は、位置決め部材１０の収容穴１６に取り付けられ、一端が回動部材２０の軸部２２の挿設凹部２２０に挿設されると共に、他端が揺動ユニット４０の２つの切換凹部４２のうちの１つに当接される。
前記制限ロッド７０は、回動部材２０の当接部２１の制限凹部２１１に位置するように位置決め部材１０の制限穴１５に挿設され、空気動工具を正回転または逆回転に切り替える時、該制限ロッド７０が回動部材２０の制限凹部２１１の一端に当接されることにより、回動部材２０の回転範囲が制限される。
【００２４】
図３に示すように、本発明に係る空気動工具の安全切換ボタンをエアーラチェットソケットレンチ８０に装着する場合は、空気動工具の安全切換ボタンを、エアーラチェットソケットレンチ８０のケース８１及び歯止め部材８２の内部に挿設するように取り付け、揺動ユニット４０を歯止め部材８２の歯部８２０に噛合させ、回動部材２０の回し部２３をケース８１の開口８１０に対応させて露出するように取り付ければ、使用者が回動部材２０の回し部２３を回すことにより、空気動工具の回転方向を切り替えることができる。
【００２５】
図２乃至図６に示すように、空気動工具の回転方向を切換える時は、まず回動部材２０の回し部２３を回して、回動部材２０の軸部２２を位置決め部材１０及びピン３０に対して回転させ、この時、ピン３０は弾性部材であると共に、ピン３０の両端部の外径が位置決め溝１３の幅よりも小さいため、軸部２２における２対の切換平面２２１、２２２の間にある角部によりピン３０の両端部を該軸部２２の径方向に沿ってそれぞれ反対方向に移動させ、ピン３０の両端部との距離を広げ（図５の如く）、軸部２２の一方の切換平面２２１が位置決め溝１３に対応する状態から、軸部２２の他方の切換平面２２２が位置決め溝１３に対応する状態となるように、軸部２２を回転させ、ピン３０が弾性復位により切換平面２２２を挟持固定し、それと同時に、切換ユニット６０を軸部２２に伴って回転させることから、切換ユニット６０が揺動ユニット４０の一方の切換凹部４２から他方の切換凹部４２に当接するようになり、空気動工具の回転方向が切り替わる。
【００２６】
本発明に係る空気動工具の安全切換ボタンは、弾性を備えるＵ字形のピン３０が位置決め部材１０の１対の位置決め溝１３に挿設されると共に、該ピン３０の両端部が回動部材２０の２対の切換平面２２１、２２２のうちの１対に挟持固定されることにより、回動部材２０の両側面を確実に挟持することから、回動部材２０を安定的に位置決めるので、振動などの原因で緩んだり回動したりすることはない。故に、切換ボタンを所定の位置に確実に保持固定できることから、空気動工具が稼動中に突然に逆回転することを防止し、且つ操作上の安全性を向上させ、その内部部材の破損も減らせるので、部材の使用寿命を延ばすことができる。
【符号の説明】
【００２７】
１０  位置決め部材
１１  位置決め部
１２  取付穴
１３  位置決め溝
１４  枢設穴
１５  制限穴
１６  収容穴
１７  工具部
２０  回動部材
２１  当接部
２１０  通過凹部
２１１  制限凹部
２２  軸部
２２０  挿設凹部
２２１、２２２  切換平面
２３  回し部
３０  ピン
４０  揺動ユニット
４１  軸穴
４２  切換凹部
５０  枢設ロッド
６０  切換ユニット
７０  制限ロッド
８０  エアーラチェットソケットレンチ
８１  ケース
８１０  開口
８２  歯止め部材
８２０  歯部
９１  回転軸
９２  切換部材
９３  ボール
９４  揺動ユニット
９５  切換凹部
【図１】
2019084639.tif 000003
【図２】
2019084639.tif 000004
【図３】
2019084639.tif 000005
【図４】
2019084639.tif 000006
【図５】
2019084639.tif 000007
【図６】
2019084639.tif 000008
【図７】
2019084639.tif 000009
【図８】
2019084639.tif 000010